(57)【要約】【課題】自動販売機本体の背面から非常に強い衝撃を与えた場合や、商品補充時に脱落防止材を手前側に延ばした場合でも、一部の商品が立ったり、商品収納経路内の背面側に一時的にあいた隙間に商品が嵌り込んだりすることを防止でき、しかも使い勝手が悪くなることのない自動販売機の商品収納装置を提供する。【解決手段】補充用開口部５を通して商品４が外部に出ることを防止する脱落防止材７と、補充用開口部５における脱落防止材７の手前側を横切るように配設され、脱落防止材７が補充用開口部５よりも手前側に移動することを規制する規制部材１５とを備えた。これにより、脱落防止材７が補充用開口部５よりも手前側に延びる量が小さくなり、一部の商品４が立ってしまったり、商品収納経路３内の背面側に一時的にあいた隙間に商品４が嵌り込んだりすることを防止できる。【選択図】    図２
2004295263.tif 000002
【特許請求の範囲】
【請求項１】
複数の商品が上下に直積み状態で収納された商品収納経路と、この商品収納経路に対して商品を手前側から補充可能な上下に長い補充用開口部と、この補充用開口部において上下に延びるように配設され、弾性を有し、変形させることで補充用開口部からの商品の補充を許容するとともに、直積みされた商品が補充用開口部を通して外部に出ることを防止する脱落防止材と、補充用開口部における前記脱落防止材の手前側を横切るように配設され、前記脱落防止材が補充用開口部よりも手前側に移動することを規制する規制部材とを備えたことを特徴とする自動販売機の商品収納装置。
【請求項２】
規制部材は両端部が曲げられており、この曲げ部を、取り付け箇所に形成された長孔に挿入させて規制部材が取り付けられていることを特徴とする請求項１記載の自動販売機の商品収納装置。
【請求項３】
規制部材は少なくとも一端部が曲げられており、この曲げ部に当接して規制部材が取り付け箇所から抜けることを防止する抜け止め用部材が設けられていることを特徴とする請求項１記載の自動販売機の商品収納装置。
【請求項４】
規制部材として、一方向から見た場合は略直線形状であるが、異なる方向から見ると、隣り合う商品収納経路に対応して凹凸を繰り返す形状となるようなものが用いられていることを特徴とする請求項１記載の自動販売機の商品収納装置。
【発明の詳細な説明】
【０００１】
【発明の属する技術分野】
本発明は自動販売機の商品収納装置に関するものである。
【０００２】
【従来の技術】
図１３〜図１５に示すように、側板１や仕切り板２で上下に長く区切られた商品収納経路３内に、たばこなどの箱型の商品４を上下に直積み状態で収納された自動販売機の商品収納装置は知られている。この種の商品収納装置においては、商品収納経路３の手前側箇所が開口されて、この上下に長い補充用開口部５から商品４を手前側から補充できるようになっている。なお、図１４、図１５における６は、下端の商品４を手前側に一つずつ払い出す商品払出装置である。
【０００３】
補充用開口部５には、直積みされた商品４が補充用開口部５を通して外部に出たり、倒れたりすることを防止する脱落防止材７が取り付けられている。脱落防止材７の一例として、補充用開口部５において上下に延びるように配設され、途中部分にスプリング伸縮部７ａを有したワイヤ７ｂから構成されたものがある。この脱落防止材７の上端は、例えば自動販売機本体１０の天面１１の下面に取り付けられた上枠１２に係止され、脱落防止材７の下端は、例えば、商品払出装置６の配設位置よりも少し上方の手前側箇所を、側板１間を横切るように取り付けられたガイド部材１３に係止されている。なお、ガイド部材１３により、商品収納経路３内の下から２番目を含む上方の商品４が商品払出装置６によって払い出されることを規制している。
【０００４】
商品収納経路３内に商品４を補充する際には、補充用開口部５に配設された脱落防止材７を手で横にずらすようにして延ばして（図１４における左端の脱落防止材７の仮想線部分を参照のこと）、開いた空間から商品収納経路３内に商品４を入れる。また、脱落防止材７から手を離すことで、商品４が手前側に移動することが規制され、直積みされた商品４が補充用開口部５を通して外部に出たり、倒れたりすることが防止される。
【０００５】
なお、商品４の補充を一層容易にするために、図１６に示すように、脱落防止材７を補充用開口部５における幅方向中央よりも左または右にずらした位置に配置したものもあり、この場合には、商品収納経路３の片側をなす枠材（側板１や仕切り板２）との間の空間が広めとなるため、脱落防止材７をずらす距離が小さくても商品４を補充できる。
【０００６】
また、これらの類似構成として、特許文献１には、このような脱落防止材７の上端の係止部や下端の係止部を位置調整可能にして、脱落防止材７を横にずらすことが容易となるようにして、同様に、商品４の補充をより容易化する構成が開示されている。
【０００７】
【特許文献１】
特開２００２−２７９５１３号公報
【０００８】
【発明が解決しようとする課題】
しかしながら、上記何れの従来構成の商品収納装置でも、商品４の収納数が多くて商品収納経路３の上下長さが長く、これに対応して脱落防止材７も上下に長い箇所では、脱落防止材７が手前側にも延び易くなるので、例えば、自動販売機本体１０の背面から非常に強い衝撃を与えた場合や、商品補充時に脱落防止材７を手前側に延ばした場合に、脱落防止材７が一時的に手前側に大きく延びてしまい、一部の商品の姿勢がくずれて立ったり、図１７に示すように、商品収納経路３内の背面側に一時的にあいた隙間に商品４が嵌り込んだりして、商品４の払い出しが不良になってしまう恐れがあった。また、図１６に示すように、脱落防止材７を補充用開口部５における幅方向中央よりも左または右にずらした位置に配置した場合には、商品４が商品収納経路３から手前側に出てしまう恐れもあった。
【０００９】
これらの不具合に対処する方法としては、脱落防止材７のスプリング伸縮部７ａのばね力を強めにすることが考えられるが、この場合には、商品補充時に脱落防止材７を強い力で左右に移動させなくてはならず、使い勝手が悪くなる。
【００１０】
本発明は上記課題を解決するもので、自動販売機本体の背面から非常に強い衝撃を与えた場合や、商品補充時に脱落防止材を手前側に延ばした場合でも、一部の商品が立ったり、商品収納経路内の背面側に一時的にあいた隙間に商品が嵌り込んだりすることを防止できて、しかも使い勝手が悪くなることのない自動販売機の商品収納装置を提供することを目的とするものである。
【００１１】
【課題を解決するための手段】
上記課題を解決するために本発明の請求項１記載の自動販売機の商品収納装置は、複数の商品が上下に直積み状態で収納された商品収納経路と、この商品収納経路に対して商品を手前側から補充可能な上下に長い補充用開口部と、この補充用開口部において上下に延びるように配設され、弾性を有し、変形させることで補充用開口部からの商品の補充を許容するとともに、直積みされた商品が補充用開口部を通して外部に出ることを防止する脱落防止材と、補充用開口部における前記脱落防止材の手前側を横切るように配設され、前記脱落防止材が補充用開口部よりも手前側に移動することを規制する規制部材とを備えたことを特徴とするものである。
【００１２】
この構成により、規制部材を設けている箇所で、脱落防止材が補充用開口部よりも手前側に移動することが規制されるので、自動販売機本体の背面から非常に強い衝撃を与えた場合や、商品補充時に脱落防止材を手前側に延ばした場合でも、規制部材を設けていない場合と比較して、規制部材よりも上方や下方の箇所でも脱落防止材が補充用開口部よりも手前側に延びる量が小さくなり、この結果、一部の商品が立ったり、商品収納経路内の背面側に一時的にあいた隙間に商品が嵌り込んだりすることを防止できる。また、規制部材では脱落防止材が左右方向に規制されないので、脱落防止材を左右に自由に弾性変形させることができて、商品の補充を容易に行うことができる。
【００１３】
請求項２記載の発明は、請求項１記載の自動販売機の商品収納装置において、規制部材は両端部が曲げられており、この曲げ部を、取り付け箇所に形成された長孔に挿入させて規制部材が取り付けられていることを特徴とする。
【００１４】
この構成により、取付用のねじなどを用いずに、規制部材を取り付けることができる。
請求項３記載の発明は、請求項１記載の自動販売機の商品収納装置において、規制部材は少なくとも一端部が曲げられており、この曲げ部に当接して規制部材が取り付け箇所から抜けることを防止する抜け止め用部材が設けられていることを特徴とする。
【００１５】
請求項４記載の発明は、請求項１記載の自動販売機の商品収納装置において、規制部材として、一方向から見た場合は略直線形状であるが、異なる方向から見ると、隣り合う商品収納経路に対応して凹凸を繰り返す形状となるようなものが用いられていることを特徴とする。
【００１６】
【発明の実施の形態】
以下、本発明の実施の形態に係る自動販売機の商品払出装置を図面に基づき説明する。なお、従来の自動販売機の商品収納装置の構成要素と同機能のものには同符号を付し、その説明は省略する。
【００１７】
図１、図２に示すように、この自動販売機の商品収納装置においては、上下に特に長い商品収納経路３（自動販売機本体１０における正面から見て左寄りに配設されている複数列の商品収納経路３）については、補充用開口部５における脱落防止材７の手前側を横切るように規制部材１５が配設されており、この規制部材１５により、脱落防止材７が補充用開口部５よりも手前側に移動することを規制している。
【００１８】
規制部材１５は、例えば、商品収納経路３における上下方向の略中間位置において略水平姿勢に配置され、この実施の形態においては、規制部材１５は断面形状が丸形（または多角形）の金属棒などのシャフトにより構成されている。
【００１９】
規制部材１５は複数列の商品収納経路３を横方向に跨って配置され、その両端部が、これらの箇所の横方向端部となる側板１や仕切り板２（、またはその他の固定された部材）に係合されて取り付けられている。規制部材１５の両端部は鈍角（または略直角）に曲げられており、規制部材１５の一方の曲げ部１５ａは、側板１（または仕切り板２でもよい）に形成された挿通孔１８に挿通されている。また、規制部材１５の他方の曲げ部１５ａが取り付けられる仕切り板２（または側板１）の取り付け箇所には、規制部材１５の両端部の曲げ部１５ａの寸法より少し短い寸法の長孔１６が形成されている。そして、この規制部材１５の他端を取り付ける際には、図３（ａ）、（ｂ）に示すように、力を入れるなどして規制部材１５を撓ませながら規制部材１５の曲げ部１５ａを長孔１６に押し入れることで、ねじなどを用いることなく取り付けることができるように構成されており、通常の操作では規制部材１５が長孔１６から外れないようになっている。
【００２０】
上記構成によれば、規制部材１５を設けている箇所で、脱落防止材７が補充用開口部５よりも手前側に移動することが規制されるので、自動販売機本体１０の背面から非常に強い衝撃を与えた場合や、商品補充時に脱落防止材７を手前側に延ばした場合でも、規制部材１５を設けていない場合と比較して、規制部材１５よりも上方や下方の箇所でも脱落防止材７が補充用開口部５よりも手前側に延びる量が小さくなり、この結果、一部の商品４が立ったり、商品収納経路３内の背面側に一時的にあいた隙間に商品４が嵌り込んだりすることを防止することができる。また、規制部材１５では脱落防止材７が左右方向に規制されないので、脱落防止材７を左右に自由に弾性変形させることができて、商品４の補充を容易に行うことができ、使い勝手も良好である。また、規制部材１５自体によっても、その規制部材１５が設けられている位置の商品４が手前側に出ようとすることを規制する効果もある。なお、規制部材１５の奥行方向の配設位置としては、脱落防止材７に手前側から接する位置やその近傍が望ましい。
【００２１】
また、上記構成によれば、取付用のねじなどを用いずに、規制部材１５を取り付けることができるので、その分、部品点数を削減できるとともに、ねじなどを取り付ける作業も不要となり、製造コストを低減することができる。
【００２２】
また、規制部材１５は丸形の断面に限らず、多角形の断面でもよいが、丸形の断面形状のものを用いた場合は、図４（ａ）、（ｂ）に示すように、万一、上端などの商品４の一部（角部など）が補充用開口部５より突出する姿勢となった場合でも、この商品４の突出箇所が規制部材１５に載って下方へ移動する際に、図４（ａ）において実線で示すように、規制部材１５の丸い外周面に沿って、奥側に案内され易くなり、仮想線で示す正規の姿勢に戻りやすい利点がある。
【００２３】
また、図５や図６に示すように、規制部材１５を取り付けた後に、規制部材１５の端部近傍箇所の固定枠部等に、規制部材１５が側板１や仕切り板２の取り付け箇所から抜け出ることを防止する抜け止め用部材１９、２０を取り付けるように構成してもよい。ここで、図５（ａ）、（ｂ）に示す構成おいては、抜け止め用ねじからなる抜け止め用部材１９が規制部材１５の曲げ部１５ａに当接して、規制部材１５が抜け出ることを防止しており、図６（ａ）〜（ｃ）に示す構成おいては、規制部材１５の片側だけに直角に曲げた曲げ部１５ｂを形成し、規制部材１５が抜け得る姿勢に回転しないように、曲げ部１５ｂが当接可能な抜け止め用ねじからなる抜け止め用部材２０を取り付けている。なお、図６（ｄ）における１ｂ、１ｃは規制部材１５を通すための孔部である。また、抜け止め用部材１９、２０はねじに限るものではなく、割ピンや樹脂製ピンなどを用いてもよい。
【００２４】
なお、上記の実施の形態においては、規制部材１５を略水平姿勢に配置した場合を述べたが、これに限るものではなく、図７に示すように、例えば規制部材１５を傾斜させて配置してもよい。また、図８に示すように、規制部材１５の一端部１５ｄを丸く形成するなどして、取付ねじ１７で止めるように構成することもできる。さらに、図９（ａ）、（ｂ）に示すように、規制部材１５として棒状のものを用いる代わりに、板金などにより規制部材１５を形成してもよい。また、上記実施の形態においては、規制部材１５は両端部でのみ取り付け箇所である側板１や仕切り板２に係合させた場合を述べたが、これに限るものではなく、図１０（ａ）、（ｂ）に示すように、両端部以外の箇所の仕切り板２も手前側に延設して係合させたり、図１０（ｃ）に示すように、規制部材１５の両端部とも側板１に係合させたりしてもよい。
【００２５】
さらに、図１１に示すように、規制部材１５として、一方向から見た場合は直線形状であるが、９０度異なる方向から見ると、隣り合う商品収納経路３に対応して凹凸を繰り返す形状となるようなものを用いてもよい。この構成では、図１１（ｂ）において仮想線で示すような姿勢になると、規制部材１５の凹凸部１５ｃが手前側と奥側とに交互に位置するので、例えば、自動販売機本体１０の背面から非常に強い衝撃が与えられた際に、規制部材１５が、図１１（ａ）、（ｂ）の実線部に示すように、平面視すると直線状である姿勢から、図１１（ａ）、（ｂ）の仮想線部に示すように、商品４が一斉に商品収納経路３から手前側へ出ようとするので、これらの商品４および脱落防止材７により規制部材１５を手前側に押す力が作用してその箇所の凹凸部１５ｃが手前側に移動すると、隣の凹凸部１５ｃが反対側に奥側へ移動し、この隣の凹凸部分に対応する商品収納経路３の脱落防止材７および商品４が奥側に押される作用を生じる。そして、このように、自動販売機本体１０の背面から非常に強い衝撃が与えられるなどした際には、各商品収納経路３の商品４が一斉に手前側へ出ようとするので、上記のような作用が各商品収納経路３毎に生じ、手前に移動しようとする力と奥側に抑えようとする力が相殺され、この作用を利用して、各商品収納経路３の商品４全体が手前側に移動することを規制できる利点がある。
【００２６】
また、図１２に示すように、脱落防止材７を補充用開口部５における幅方向中央よりも左または右にずらした位置に配置した構成のものにも適用できることはもちろんであり、この場合にも上記作用効果を得られるとともに、商品４が商品収納経路３から手前側に出てしまうことも防止できる。
【００２７】
また、上記実施の形態では、上下に特に長い商品収納経路３に対応する箇所のみ規制部材１５を配設した場合を述べたが、これに限るものではなく、脱落防止材７を有する他の商品収納経路３に対して規制部材１５を配設してもよい。
【００２８】
さらに、上記実施の形態においては、脱落防止材７が、スプリング伸縮部７ａを有したワイヤ７ｂから構成された場合を述べたが、これに限るものではなく、弾性を有し、変形させることで補充用開口部５からの商品４の補充を許容するとともに、直積みされた商品４が補充用開口部５を通して外部に出ることを防止する機能を有するものであればよい。
【００２９】
【発明の効果】
以上のように本発明によれば、補充用開口部を通して商品が外部に出ることを防止する脱落防止材と、補充用開口部における前記脱落防止材の手前側を横切るように配設され、前記脱落防止材が補充用開口部よりも手前側に移動することを規制する規制部材とを備えたことにより、脱落防止材が補充用開口部よりも手前側に延びる量が小さくなり、自動販売機本体の背面から非常に強い衝撃を与えた場合や、商品補充時に脱落防止材を手前側に延ばした場合でも、一部の商品が立ったり、商品収納経路内の背面側に一時的にあいた隙間に商品が嵌り込んだりすることを最小限に抑えることができる。また、規制部材では脱落防止材が左右方向に規制されないので、脱落防止材を左右に自由に弾性変形させることができて、商品の補充を容易に行うことができ、利便性が低下することもない。
【００３０】
また、規制部材として、両端部が曲げられており、この曲げ部を、取り付け箇所に形成された長孔に挿入させたものを採用することにより、取付用のねじなどを用いずに、規制部材を取り付けることができ、その分、製造コストを低減させることができるとともに、取付用のねじを取り付ける手間も省ける。
【図面の簡単な説明】
【図１】本発明の実施の形態にかかる自動販売機の自動販売機本体の正面図であり、前面扉を除いた状態を示す。
【図２】（ａ）〜（ｄ）は同自動販売機の商品収納装置の平面図、正面図、左側面図、および右側面図である。
【図３】（ａ）および（ｂ）はそれぞれ同商品収納装置の阻止部材取付箇所の拡大図で、（ａ）は端部を挿入させる状態を示し、（ｂ）は挿入した状態を示す。
【図４】（ａ）および（ｂ）は同商品収納装置の商品が阻止部材に沿って、正規位置に戻る様子を示す概略的な側面図および平面図である。
【図５】（ａ）および（ｂ）は本発明の他の実施の形態にかかる自動販売機の商品収納装置の要部平面図および要部正面図である。
【図６】（ａ）〜（ｄ）は本発明のその他の実施の形態にかかる自動販売機の商品収納装置の要部平面図、要部正面図、要部側面図および要部斜視図である。
【図７】本発明の他の実施の形態にかかる自動販売機の商品収納装置の正面図である。
【図８】本発明の他の実施の形態にかかる自動販売機の商品収納装置の要部拡大正面図である。
【図９】（ａ）および（ｂ）は本発明の他の実施の形態にかかる自動販売機の商品収納装置の要部正面図および要部拡大側面図である。
【図１０】（ａ）〜（ｃ）はそれぞれ本発明の他の実施の形態にかかる自動販売機の商品収納装置の概略的な平面図である。
【図１１】（ａ）および（ｂ）は本発明の他の実施の形態にかかる自動販売機の商品収納装置の要部正面図および要部平面図である。
【図１２】本発明の他の実施の形態にかかる自動販売機の商品収納装置の正面図である。
【図１３】従来の自動販売機の自動販売機本体の斜視図である。
【図１４】同従来の自動販売機の商品収納装置の正面図である。
【図１５】同従来の商品収納装置の側面断面図である。
【図１６】同従来の他の商品収納装置の正面図である。
【図１７】同従来の商品収納装置の問題点を示すための概略的な側面図である。
【符号の説明】
１        側板
２        仕切り板
３        商品収納経路
４        商品
５        補充用開口部
７        脱落防止材
１０      自動販売機本体
１５      規制部材
１５ａ、１５ｂ    曲げ部
１５ｃ    凹凸部
１６      長孔
１７      取付ねじ
１８      挿通孔
１９、２０    抜け止め用部材
【図１】
2004295263.tif 000003
【図２】
2004295263.tif 000004
【図３】
2004295263.tif 000005
【図４】
2004295263.tif 000006
【図５】
2004295263.tif 000007
【図６】
2004295263.tif 000008
【図７】
2004295263.tif 000009
【図８】
2004295263.tif 000010
【図９】
2004295263.tif 000011
【図１０】
2004295263.tif 000012
【図１１】
2004295263.tif 000013
【図１２】
2004295263.tif 000014
【図１３】
2004295263.tif 000015
【図１４】
2004295263.tif 000016
【図１５】
2004295263.tif 000017
【図１６】
2004295263.tif 000018
【図１７】
2004295263.tif 000019